(57)【特許請求の範囲】
【請求項１】
照明器具の接続された複数の制御用端末器との間で、通信線を通じて信号を送受することによって、上記照明器具をオンオフ制御する制御プログラムを記憶した記憶手段を少なくとも備える照明制御装置において、
装置本体には、
上記照明器具に対応して設けられ、上記照明器具をオンオフさせるオンオフスイッチと、上記オンオフスイッチに対応して設けられ、上記照明器具のオンオフ状態を表示するＬＥＤとをそれぞれ複数配列しており、
上記制御プログラムを書き換えるとともに、上記装置本体に装着するカバー体を交換することによって、上記オンオフスイッチを、いずれかの照明器具を調光する調光スイッチとして機能させるとともに、上記ＬＥＤを、この照明器具の調光レベル表示体として機能させる構成とした照明制御装置。
【請求項２】
請求項１において、
上記記憶手段に書き換えるべき制御プログラムは、上記調光スイッチの操作に応じて、上記いずれかの照明器具に対応する制御用端末器に調光信号を送出して、その照明器具を調光し、その調光結果として上記制御用端末器から返信される返信信号によって、その調光レベルを上記調光レベル表示体に表示させる構成とした照明制御装置。
【請求項３】
請求項１または請求項２において、
上記カバー体は、上記調光スイッチ、上記ＬＥＤのそれぞれが嵌合する孔部を設けており、少なくとも、上記調光スイッチが嵌合する孔部には、上記調光スイッチを覆い、上記調光スイッチであることを示す印の印字された被覆体を備える構成とした照明制御装置。
【請求項４】
請求項１〜請求項３のいずれかにおいて、
上記記憶手段に書き換えるべき制御プログラムは、いずれかのオンオフスイッチを、上記いずれかの照明器具に対するオンオフスイッチとして機能させるとともに、いずれかのＬＥＤを、上記いずれかの照明器具のオンオフ状態を表示させるオンオフ表示体として機能させる構成とした照明制御装置。
【請求項５】
請求項１〜請求項４のいずれかにおいて、
上記通信線を介して、上記制御用プログラムを書き換える構成とした照明制御装置。
【請求項６】
少なくとも、請求項１〜請求項５のいずれかに記載の照明制御装置と、照明器具の接続された複数の制御用端末器とを通信線を介して接続して構成した照明制御システム。
【発明の詳細な説明】
【０００１】
【発明の属する技術分野】
本発明は、照明制御装置、照明制御システムに関する。
【０００２】
【従来の技術】
従来より、図５に示すような照明制御システムは広く使用されている。このものでは、照明制御装置１００が、照明器具３００（＃１〜＃３）の接続された複数の制御用端末器２００（＃１〜＃３）との間で、通信線Ｌ１を通じて信号を送受することによって、照明器具３００（＃１〜＃３）を制御する。
【０００３】
制御用端末器１００には、照明器具３００（＃１〜＃３）のそれぞれに対応したオンオフスイッチＳＷ１〜ＳＷ３と、オンオフスイッチＳＷ１〜ＳＷ３のそれぞれに対応したＬＥＤ１〜ＬＥＤ６を備えている。
【０００４】
このシステムでは、スイッチＳＷ１を操作すれば、制御用端末器２００（＃１）に対してオンオフ信号が送られて照明器具３００（＃１）がオンオフされる。これに合わせて制御用端末器２００（＃１）からは照明器具３００（＃１）の状態を示す信号が返信されるので、これを受けた照明制御装置１００では、ＬＥＤ１，２によって照明器具３００（＃１）の状態を表示する。
【０００５】
また、スイッチＳＷ２を操作すれば、制御用端末器２００（＃２）に対してオンオフ信号が送られて照明器具３００（＃２）がオンオフされる。これに合わせて制御用端末器２００（＃２）からは照明器具３００（＃２）の状態を示す信号が返信されるので、これを受けた照明制御装置１００では、ＬＥＤ３，４によって照明器具３００（＃２）の状態を表示する。
【０００６】
更に、スイッチＳＷ３を操作すれば、制御用端末器２００（＃３）に対してオンオフ信号が送られて照明器具３００（＃３）がオンオフされる。これに合わせて制御用端末器２００（＃３）からは照明器具３００（＃３）の状態を示す信号が返信されるので、これを受けた照明制御装置１００では、ＬＥＤ５，６によって照明器具３００（＃３）の状態を表示する。
【０００７】
【発明が解決しようとする課題】
ところが、近時要求されている省エネルギーや快適な照明環境を実現するために、照明器具をオンオフするだけのものから、明るさを調光できるものに交換する場合には、照明制御装置そのものも交換する必要があり、その作業が高コスト、長期間に及ぶことがあった。
【０００８】
本発明は、上記事情を考慮してなされたものであり、装置本体を交換することなく、低コスト、短期間で、照明器具を調光できるようにすることのできる照明制御装置、及び、これを使用して構成した照明制御システムを提供することを目的としている。
【０００９】
【課題を解決するための手段】
上記目的を達成するために、本発明の請求項１に記載の照明制御装置では、装置本体には、照明器具に対応して設けられ、照明器具をオンオフさせるオンオフスイッチと、オンオフスイッチに対応して設けられ、照明器具のオンオフ状態を表示するＬＥＤとをそれぞれ複数配列しており、制御プログラムを書き換えるとともに、装置本体に装着するカバー体を交換することによって、オンオフスイッチを、いずれかの照明器具を調光する調光スイッチとして機能させるとともに、ＬＥＤを、この照明器具の調光レベル表示体として機能させる構成とした。
【００１０】
請求項２に記載の照明制御装置では、記憶手段に書き換えるべき制御プログラムは、調光スイッチの操作に応じて、いずれかの照明器具に対応する制御用端末器に調光信号を送出して、その照明器具を調光し、その調光結果として制御用端末器から返信される返信信号によって、その調光レベルを調光レベル表示体に表示させる構成とした。
【００１１】
請求項３に記載の照明制御装置では、カバー体は、調光スイッチ、ＬＥＤのそれぞれが嵌合する孔部を設けており、少なくとも、調光スイッチが嵌合する孔部には、調光スイッチを覆い、調光スイッチであることを示す印の印字された被覆体を備える構成とした。
【００１２】
請求項４に記載の照明制御装置では、記憶手段に書き換えるべき制御プログラムは、いずれかのオンオフスイッチを、いずれかの照明器具に対するオンオフスイッチとして機能させるとともに、いずれかのＬＥＤを、いずれかの照明器具のオンオフ状態を表示させるオンオフ表示体として機能させる構成とした。
【００１３】
請求項５に記載の照明制御装置では、通信線を介して、制御用プログラムを書き換える構成とした。
【００１４】
請求項６に記載の照明制御システムでは、少なくとも、請求項１〜請求項５のいずれかに記載の照明制御装置と、照明器具の接続された複数の制御用端末器とを通信線を介して接続して構成した。
【００１５】
【発明の実施の形態】
以下に、本発明の実施の形態について、図面とともに説明する。図１は、本発明の照明制御装置の装置本体の内部構成の一例を示す図であり、図２は、装置の要部構成の一例を示す図である。
【００１６】
この照明制御装置１では、図１には、装置本体１０には、ＣＰＵなどで構成され、この照明制御装置１を制御するマイコン１３と、この照明制御装置１が動作するための制御プログラムを記憶するフラッシュメモリ１４と、通信線Ｌを通じて制御用端末器と信号の通信をする通信部１５と、スイッチＳＷ１〜ＳＷ３と、スイッチＳＷ１〜ＳＷ３に対応して設けられたＬＥＤ１，２、ＬＥＤ４〜７とをそれぞれ複数配列している。
【００１７】
通常は、フラッシュメモリ１４には、複数の制御用端末器との間で、通信線Ｌを通じて信号を送受することによって、複数の照明器具をオンオフ制御する制御プログラムが記憶されるとともに、図２に示すように、孔部Ｈ１〜Ｈ９を設けたカバー体１１が装置本体１０に装着されている。
【００１８】
このような構成によれば、ＬＥＤ１，２およびＬＥＤ４〜７のそれぞれが孔部Ｈ１〜Ｈ６に嵌合し、スイッチＳＷ１〜ＳＷ３のそれぞれが孔部Ｈ７〜Ｈ９に嵌合しており、スイッチＳＷ１の操作に対応して、このスイッチＳＷ１に対応する照明器具のオンオフ状態がＬＥＤ１，２に表示される。
【００１９】
また、スイッチＳＷ２の操作に対応して、このスイッチＳＷ２に対応する照明器具のオンオフ状態がＬＥＤ４，５に表示される。更に、スイッチＳＷ３の操作に対応して、このスイッチＳＷ３に対応する照明器具のオンオフ状態がＬＥＤ６，７に表示される。
【００２０】
そして、通信線Ｌ１に外部機器を接続して、通信線Ｌ１経由でフラッシュメモリ１４の制御プログラムを書き換えるとともに、図３に示すように、装置本体１０に装着すべきカバー体をカバー体１２に交換すると、スイッチＳＷ１、ＳＷ２が、複数の照明器具のうちいずれか１つの照明器具を調光できる調光スイッチとして機能し、ＬＥＤ１〜５が、その照明器具の調光レベルを表示する調光レベル表示体として機能する。
【００２１】
なお、調光スイッチＳＷ１は調光レベルを上げるために操作され、調光スイッチＳＷ２は調光レベルを下げるために操作される。また、ＬＥＤ１〜５は調光レベルを段階的に表示する。
【００２２】
フラッシュメモリ１４に書き換える制御プログラムは、スイッチＳＷ１，ＳＷ２の操作に応じて、照明器具に対応する制御用端末器に調光信号を送出して、その照明器具を調光し、その調光結果として制御用端末器から返信される返信信号によって、その調光レベルをＬＥＤ１〜５に表示させる。
【００２３】
カバー体１２では、先述のカバー体１１の構成に、孔部Ｈ１０を更に備えており、ＬＥＤ３が孔部Ｈ１０に嵌合する。また、孔部Ｈ７，Ｈ８のそれぞれには、スイッチＳＷ１，ＳＷ２を覆い、スイッチＳＷ１，ＳＷ２が調光スイッチであることを示す印、ここでは、調光度合いを指示するための矢印が印字された被覆体Ｃ１，Ｃ２を備える。
【００２４】
また、スイッチＳＷ３は、照明器具に対するオンオフスイッチとして機能しており、ＬＥＤ５，６は、照明器具のオンオフ状態を表示させる機能を実行する。
【００２５】
このように、フラッシュメモリ１４の制御プログラムを書き換えるとともに、カバー体を交換するだけで、照明器具を調光できるようになり、そのため、その作業を低コスト、短期間に行うことができ、非常に有益である。
【００２６】
図４は、このような構成の照明制御装置１を用いて構成した照明制御システムの構成例を示す図である。このものでは、照明制御装置１と、制御用端末器２（＃１〜＃３）を接続した複数の照明器具３（＃１〜＃３）を、通信線Ｌ１を介して接続しており、照明器具３（＃１〜＃３）として、調光可能なものを使用している。
【００２７】
このような構成によれば、照明制御装置１は、スイッチＳＷ１，ＳＷ２の操作に応じて、いずれかの照明器具、例えば照明器具３（＃１）に対応する制御用端末器２（＃１）に調光信号を送出して、その照明器具３（＃１）を調光し、その調光結果として制御用端末器２（＃１）から返信される返信信号によって、その調光レベルをＬＥＤ１〜５に表示させる。
【００２８】
また、スイッチＳＷ３の操作に応じて、制御用端末器２（＃１）に対してオンオフ信号を送出して、照明器具３（＃１）をオンオフさせ、その結果として制御用端末器２（＃１）から返信される返信信号によって、そのオンオフ状態をＬＥＤ５，６に表示する。
【００２９】
【発明の効果】
以上の説明からも理解できるように、本発明の請求項１に記載の照明制御装置では、制御プログラムを書き換えるとともに、装置本体に装着するカバー体を交換することによって、オンオフスイッチを、いずれかの照明器具を調光する調光スイッチとして機能させるとともに、ＬＥＤを、この照明器具の調光レベル表示体として機能させるので、装置本体を交換することなく、低コスト、短期間で、照明器具を調光できるようにすることができ、非常に有益である。
【００３０】
請求項２に記載の照明制御装置では、記憶手段に書き換えるべき制御プログラムは、調光スイッチの操作に応じて、いずれかの照明器具に対応する制御用端末器に調光信号を送出して、その照明器具を調光し、その調光結果として制御用端末器から返信される返信信号によって、その調光レベルを調光レベル表示体に表示させる構成としているので、このような制御プログラムに書き換えるだけで、本装置を調光制御装置として使用できるようになり、非常に利便である。
【００３１】
請求項３に記載の照明制御装置では、カバー体は、調光スイッチが嵌合する孔部には、調光スイッチを覆い、調光スイッチであることを示す印の印字された被覆体を備えるので、印の印字されたスイッチが調光スイッチであることを容易に確認することができる。
【００３２】
請求項４に記載の照明制御装置では、記憶手段に書き換えるべき制御プログラムは、いずれかのオンオフスイッチを、いずれかの照明器具に対するオンオフスイッチとして機能させるとともに、いずれかのＬＥＤを、いずれかの照明器具のオンオフ状態を表示させるオンオフ表示体として機能させるので、いずれかのオンオフスイッチを操作することによって、照明器具をオンオフさせて、この状態をいずれかのＬＥＤによって確認することができる。
【００３３】
請求項５に記載の照明制御装置では、通信線を介して、制御用プログラムを書き換える構成としているので、装置本体からカバー体を取り外すことなく、容易に制御プログラムを書き換えることができ、利便である。
【００３４】
請求項６に記載の照明制御システムでは、少なくとも、請求項１〜請求項５のいずれかに記載の照明制御装置と、照明器具の接続された複数の制御用端末器とを通信線を介して接続して構成したので、請求項１〜請求項５のいずれかの効果を発揮するシステムを提供することができる。
【図面の簡単な説明】
【図１】本発明の照明制御装置の装置本体の内部構成例を示す図である。
【図２】照明制御装置の要部構成例を示す図である。
【図３】カバー体の交換について説明するための図である。
【図４】本発明の照明制御システムの要部構成例を示す図である。
【図５】従来の照明制御システムの構成を示す図である。
【符号の説明】
１・・・照明制御装置
２・・・制御用端末器
３・・・照明器具
１０・・・装置本体
１１，１２・・・カバー体
１４・・・フラッシュメモリ
Ｃ１，Ｃ２・・・被覆体
Ｈ１〜Ｈ１０・・・孔部
ＬＥＤ１〜ＬＥＤ７・・・ＬＥＤ
ＳＷ１〜ＳＷ３・・・スイッチ
Ｌ・・・通信線
【図１】
0004538999.tif 000002
【図２】
0004538999.tif 000003
【図３】
0004538999.tif 000004
【図４】
0004538999.tif 000005
【図５】
0004538999.tif 000006